(57)【特許請求の範囲】
【請求項１】
パーソナル衛生パッドであって、
前記パーソナル衛生パッドの最上部に配置されるカバーシートと、
吸収性コアと、
前記カバーシートと前記吸収性コアとの間に配置された取込み強化ガーゼとを備え、
前記カバーシートが、水圧交絡されたスパンレース材料を更に含み、
前記ガーゼが、スルーエア接合カーディング処理ウェブ（ＴＡＢＣＷ）材料を更に含み、
前記ＴＡＢＣＷ材料が、１５から７０ｇｓｍ（グラム／ｍ２）の坪量を有することを特徴とするパーソナルケア衛生パッド。
【請求項２】
前記取込み強化ガーゼが、前記吸収性コアの面の中央部に配置されたことを特徴とする請求項１に記載のパーソナル衛生パッド。
【請求項３】
前記ＴＡＢＣＷ材料が、低密度の嵩高い前記ガーゼをもたらすことを特徴とする請求項１若しくは２に記載のパーソナル衛生パッド。
【請求項４】
前記ＴＡＢＣＷ材料が、３から１０デニールのステープルを含むことを特徴とする請求項１若しくは２に記載のパーソナル衛生パッド。
【請求項５】
前記ＴＡＢＣＷ材料が、超嵩高性（ＵＢ）２成分繊維又はその複合体を含むことを特徴とする請求項１若しくは２に記載のパーソナル衛生パッド。
【請求項６】
前記ガーゼが、更に第１の層及び第２の層で構成され、前記第１の層が前記ＴＡＢＣＷ材料で構成され、前記第２の層が空気堆積不織材料で構成されることを特徴とする請求項１若しくは２に記載のパーソナル衛生パッド。
【請求項７】
前記ガーゼが、空気堆積不織材料と前記ＴＡＢＣＷの複合体から構成されることを特徴とする請求項１若しくは２に記載のパーソナル衛生パッド。
【請求項８】
前記吸収性コアが、ＳＡＰシート、吸収性材料（顆粒又は繊維）とパルプとの複合体、ティシュ、不織材料及びフラフと吸収性材料との混合物から成す群から選択された材料で作られることを特徴とする請求項１若しくは２に記載のパーソナル衛生パッド。
【請求項９】
前記ガーゼの長さが少なくとも５０ｍｍで、幅が３０から６０ｍｍであることを特徴とする請求項１若しくは２に記載のパーソナル衛生パッド。
【請求項１０】
カバーシート、ラッピング材料及びバッフル部を更に備え、前記ガーゼが、前記カバーシートの下に配置された第１の表面と、前記吸収性コア又は前記ラッピング材料の少なくとも１つに接着された第２の表面とを有することを特徴とする請求項１若しくは２に記載のパーソナル衛生パッド。
【請求項１１】
液体分配層を更に備えることを特徴とする請求項１０に記載のパーソナル衛生パッド。
【請求項１２】
前記カバーシート、前記ラッピング材料、前記吸収性コア及び前記バッフル部が、その順番で全幅が１ｃｍ未満に圧縮され、前記ガーゼの回りに溝が形成されていることを特徴とする請求項１０に記載のパーソナル衛生パッド。
【請求項１３】
前記水圧交絡されたスパンレース材料が、レーヨン繊維であることを特徴とする請求項１若しくは２に記載のパーソナル衛生パッド。
【請求項１４】
前記水圧交絡されたスパンレース材料が、７０％のレーヨン繊維と３０％のＰＥＴポリエステルとの均質な混合物であることを特徴とする請求項１若しくは２に記載のパーソナル衛生パッド。
【発明の詳細な説明】
【０００１】
（技術分野）
本発明は、一般に、パーソナル衛生吸収性物品に関し、詳細には、生理用ナプキン又は失禁用パッドのための機能強化された液体取込み強化部材に関する。
【０００２】
（背景技術）
生理用ナプキン及び失禁用パッド（以下、総称して「パッド」と呼ぶ）は、パーソナルケア及び衛生技術分野では、よく知られている。このようなパッドは、一般に、液体透過性上面シート、液体不透過性裏面シート及び上面シートと裏面シートとの間に配置された吸収性コアとで構成される。液体透過性上面シートにより、月経液又は尿が、液体を保持するようにデザインされた吸収性コアまで浸透することが可能になり、一方、液体不透過性裏面シートにより、それ以上に浸透することが防止される。
本技術分野でのこれまでの課題であり、現在も課題とされていることは、液体透過性上面シートが、従来の吸収性コアに向かって一方向に迅速に浸透させる（取込み）ことができ、同時に、反対方向に戻ること（濡れの逆流）を防ぐことにより、使用者の不快感を減少させる能力である。横漏れが減少するかどうか、又は液体が適切に望ましい目標区域に集中するかどうかは、取込みが起こる速度で決まる。
【０００３】
長年にわたって、多くの解決策が提案されてきた。生理用ナプキン及び失禁用パッドの平面的なデザインは、前述の一般的な奥行き構造を補うために、多くの方法で変更されてきた。パッドは、凹んだ側部分が腿の自然な曲線にフィットするよう、股区域に適合する形状となるように設計されてきた。従来型パッドの平面的なデザインの左右の側部を縮小させると、下着及び衣類を汚す側部の漏れが起こることになる。このような側部の漏れを解決するために、左右のウィング及びフラップが導入され、パッドのデザインは次第に複雑になってきた。
パッド全体の平面的なデザインを補うことは、月経排泄物又は尿を限定された区域に集中させようとすることであった。上面シートの上から吸収性コアを通してエンボス加工した溝を押し、通常はパッドの中央区域に物理的な目標区域の範囲を決め、そこに液体が集中することを期待した。周囲が直線の長方形から周囲が曲線状又は弓形、砂時計形及びトラック形構成等の変形物まで、エンボス区域のための数種の形状のデザインが提案されてきた。
【０００４】
他の試みは、サージの使用であった。サージは、平面の大きさが、通常吸収性コアの大きさより小さい多孔性の不織材料で作られたストリップであり、上面シートとの複合体として用いられる。サージを用いる他の方法には、上面シートの平面表面全体との複合体が含まれる。サージは、熱、超音波又は機械的結合、又はその組み合わせで上面シートにラミネートされ、確実に目標区域に配置される。このように、サージは、目標区域にラミネートされるか、実質的に液体透過性上面シートの全表面にラミネートされる。従来のサージ材料は、気孔率及び弾力性が低く、上面シートと結合する間に劣化する。このような欠点のため、取込み率を増大させ、濡れの逆流を減少させるという望ましい目的は、未だ達成されていない。
【０００５】
他の従来のアプローチは、繊維化パルプのような吸収性材料をコアの長さに沿わせるか、中央目標区域に中心合わせをして二重の層にして用いることである。しかし、このアプローチは、特に、活動したり動いたりするときに、使用者に不快感を与える。
このような全ての試みは、決して完全に満足できるものではなく、本技術分野に存在するこのような問題を解決する研究が続けられている。本発明は、以下の目的の全ての利点を有し、それを満たす厚い（スリム）か、薄い（ウルトラスリム）生理用ナプキン又は失禁用パッドのための低密度で嵩高い不織ガーゼを開示する。
【０００６】
（本発明の目的）
従って、本発明の一般的な目的は、パーソナルケア及び衛生のための改良された生理用ナプキン及び失禁用パッドを提供することである。
本発明の他の目的は、月経液又は尿を強力且つ集中的に取込むための、低密度で嵩高い不織ガーゼを有するパーソナルケア及び衛生用パッドを提供することである。
本発明の更に他の目的は、低密度の不織材料を含むガーゼを有するパッドを提供することである。
また、本発明の更に他の目的は、嵩を減らすためにコアと共に空気堆積したパッド用のガーゼであり、厚いパッド及び薄いパッドの両方で迅速な取込みを強化し、濡れの逆流を防ぎ、パッドの中心に液体を集中させるガーゼを提供することである。
【０００７】
本発明の他の目的は、繊維材料と空気堆積材料との複合体又は繊維層と空気堆積層との組み合わせで構成されたパッド用のガーゼを提供することである。
本発明の他の目的は、取込み時間及び濡れの逆流を減少させ、保持性を増大させたスパンレース材料のカバーシートと低密度の嵩高い不織ガーゼとの組み合わせを提供することである。
本発明の更に他の目的は、パッドの中心ゾーンを囲む区域ではあまり嵩高くないパッドを作り、使用者の快適性を高めることである。
本発明の他の目的は、本開示を検討すれば、当業者には明らかになる。
【０００８】
本発明の様態の１つは、吸収性コア及び吸収性コアの中心部分に配置される取込み強化ガーゼを備えるパーソナル衛生パッドである。ガーゼは、スルーエア接合カーディング処理ウェブ（ＴＡＢＣＷ）材料、空気堆積不織材料、繊維材料と空気堆積材料との複合体、又は繊維層と空気堆積層とを組み合わせたもので構成される。繊維層と空気堆積層との組み合わせは、２つの別個の層、即ち第１の層及び第２の層で構成され、第１の層は、繊維材料で構成され、第２の層は空気堆積材料で構成される。パーソナル衛生パッドは、女性の生理用ナプキン又は失禁用パッドのいずれかである。
ＴＡＢＣＷ材料は、約１５から約７０ｇｓｍ（グラム／ｍ２）までの特定の坪量レベルである低密度の嵩高いスルーエア接合カーディング処理ウェブをもたらす。ＴＡＢＣＷ材料は、約３から約１０デニールのステープルを含むことができる。また、ＴＡＢＣＷ材料は、超嵩高性（ＵＢ）２成分繊維又はその複合体を含むことができる。空気堆積不織材料は、坪量が約５０から約３００ｇｓｍ（グラム／ｍ２）であり、この坪量は大きな空隙容積をもたらす。空気堆積不織材料は、ＳＡＭ（顆粒又は繊維）を含んでもよい。
【０００９】
ガーゼは、更に、第１の層及び第２の層で構成されてもよく、第１の層は、ＴＡＢＣＷ材料で構成され、第２の層は、空気堆積不織材料で構成される。ガーゼは、更に、ＴＡＢＣＷと空気堆積不織材料との複合体で構成されてもよい。
吸収性コアは、ＳＡＭ（顆粒又は繊維）とパルプとの複合体、ティシュ、不織材料、又はフラフとＳＡＭとの組み合わせであるＳＡＰシートであってもよい。吸収性コアは、更に、ティシュ様ラッピング又は不織材料を備えることもできる。
吸収性コアの中心部分に配置されるガーゼは、長さが少なくとも約５０ｍｍで、幅が約３０から約６０ｍｍである。パーソナル衛生パッドは、更に、カバーシート、ラッピング材料、及びバッフル部を備えることができる。ガーゼは、カバーシートの下に位置する第１の表面と、少なくとも１つの吸収性コア又はラッピング材料に接着される第２の表面とを有する。パーソナル衛生パッドは、液体分配層を更に備えてもよい。
【００１０】
カバーシート、ラッピング材料、吸収性コア及びバッフル部は、その順序で、全幅が約１ｃｍ未満に圧縮されて、ガーゼの周りに溝を形成してもよい。カバーシートは、月経液又は尿がガーゼまで浸透できるようになっている液体透過性材料で構成される。バッフル部は、月経液又は尿がそれ以上浸透することを防ぐようになっている液体不透過性材料で構成される。
本発明のパーソナル衛生パッドの他の様態において、水圧交絡された水流穿孔したスパンレース材料で構成されたカバーシートと、ＴＡＢＣＷ材料で構成されたガーゼとの組み合わせが、取込み時間をスピードアップし、濡れの逆流を低減し、吸収性コアの保持力を高めるために、相互依存的に用いられる。水圧交絡された水流穿孔したスパンレース材料は、レーヨン繊維を含むことができ、７０％のレーヨン繊維及び３０％のポリエチレンテレフタレート（ＰＥＴ）ポリエステル繊維の均質な混合物を含むことが好ましい。
【００１１】
本発明の他の様態では、パーソナル衛生パッドは、カバーシート、第１の吸収層及び第２の吸収層を備えることができ、第１の吸収層は、カバーシートと第２の吸収層との間に配置される。この様態では、カバーシートは、前述のように、水圧交絡された水流穿孔したスパンレース材料を含む。第１の吸収層は、空気堆積材料、ＴＡＢＣＷ材料、及び繊維材料と空気堆積材料との複合体から成る群から選択された材料を含み、第２の吸収層は、空気堆積材料、ＴＡＢＣＷ材料、及び繊維材料と空気堆積材料との複合体から成る群から選択された材料を含む。
本発明は、以下に簡単に説明した図面と関連して、以下に更に詳細に説明する。
【００１２】
（発明を実施するための最良の形態）
図１を参照し、本発明の第１の実施形態を説明する。図１は、ウィング１１、バッフル部１２、取込み強化ガーゼ１５、カバーシート２１、任意的にエンボス加工した溝２３及び吸収性コア２５で構成された生理用ナプキン１０の平面図を示す。バッフル部１２は、生理用ナプキン１０の全周に沿って延びるように示されている。カバーシート２１は、透明で、矢印で示されており、ガーゼ１５及び吸収性コア２５に重なっている（仮想線で示す）。ウィング１１は、バッフル部１２又はカバーシート２１が左右に延びたものとみなすことができる。当業者であれば、本発明が、本発明を実施するための不可欠な特徴としてウィングを必要とせず、ウィングをもたない実施形態も本開示の範囲に含まれることを理解できる。
【００１３】
図示のように、生理用ナプキン１０の中央部分（目標区域）は、任意的にエンボス加工された溝２３で囲まれた取込み強化ガーゼ１５である。図１は、矩形のガーゼ１５を示すが、この形状は例示的なものであり、当業者には、本発明の範囲内にあり本開示の利点を備える、正方形、曲線又は弓形の外周、トラック形又は砂時計形の構造等の他の形状も可能であることが明らかである。また、ガーゼ１５は、２層とすることもでき、各々の層は、同一の形状又は異なる形状を有する。目的区域を最も適切に覆うためには、ガーゼの長さを少なくとも５０ｍｍ、幅を３０から６０ｍｍにすることが好ましい。
図２は、図１を線２−２に沿って切った断面図である。図２では、種々の層を区別するために真の縮尺が拡大されており、実際上、薄いパッドの実施形態を示す。図２は、上から説明すると、カバーシート２１、ガーゼ１５、ラッピング材料２４、吸収性コア２５及びバッフル部１２を備える生理用ナプキン１０を示す。また、図２は、エンボス加工された溝２３及び液体分配層２６も示している。カバーシート２１及びバッフル部１２は、その縁部が密封されて種々のパターンを有する密封縁部が形成されており、機械プレス、熱、接着剤、超音波、その組み合わせ等の種々の工程を用いている。
【００１４】
ラッピング材料２４は、ティシュ、空気堆積材料又は不織材料を含むことができる。吸収性コア２５は、ＳＡＭ（顆粒又は繊維）とパルプとの複合体、ティシュ、不織材料、又はフラフとＳＡＭとの混合物であるＳＡＰシートであってもよい。
カバーシート２１は、透明フィルム、不織材料又はフィルムと不織材料とのラミネートで構成され、月経液をガーゼ１５まで浸透させることができる液体透過層である。
また、カバーシート２１は、水圧交絡された水流穿孔したスパンレース材料を備えることもできる。例えば、スパンレース材料は、レーヨン繊維を含むことができ、好ましくは、７０％のレーヨン繊維と３０％のＰＥＴポリエステル繊維との均質な混合物を含むことができる。また、レーヨンの代わりに綿繊維を用いることもできる。レーヨン又は綿繊維のＰＥＴに対する比は、１０：０から０：１０までと様々であってもよく、平均質量は、２０〜４０ｇｓｍの範囲であってもよい。
【００１５】
その構造に関しては、カバーシートは、異なる繊維の層を備えることができる。ハイドロアパーチャの相対面積は、用いたメッシュパターンベルトの種類により様々であってもよいが、カバーシートの全表面積の少なくとも２０％である必要がある。
溝２３は、ガーゼ１５の回りに１ｃｍより小さい幅で、ガーゼ１５から間隔を置いて、カバーシート２１、吸収性コア２５及びバッフル部を圧縮することにより形成される。
【００１６】
ガーゼ１５は、空気堆積不織材料、ＴＡＢＣＷ材料又は繊維材料と空気体積材料との複合体、又は繊維層と空気堆積層との組み合わせで構成される。空気堆積不織材料に対しては、空隙容量を大きくするために、５０から３００ｇｓｍ（グラム／ｍ２）坪量の熱結合空気堆積接着工程を用いて、材料を吸収性コア２５に付着することが好ましい。もしくは、結合剤結合又は多重結合空気堆積材料を用いて、材料を吸収性コア２５に結合することもできる。空気結合材料は、ＳＡＭを含むことができる。ＴＡＢＣＷ材料に対しては、好ましくは、３から６デニールのステープルを含む１５から７０ｇｓｍの特定の坪量レベルを有する低密度の嵩高いスルーエア接合カーディング処理ウェブを用い、更に好ましくは、超嵩高性（ＵＢ）２成分繊維又はその複合体を用いる。
【００１７】
空気堆積不織材料及びＴＡＢＣＷは、従来のサージ材料又はコアよりも空隙容量が相対的に大きいので吸収性が高く、本発明を薄いパッドに対して特に適切なものにする。月経液の相対吸収が大きいことに加えて、空気堆積不織材料及びＴＡＢＣＷは、迅速に吸収し、カバーシート２１からゆっくりと浸透することに起因する使用者への無用な不快感を防ぐ。本ガーゼは、空隙容量が大きく吸収が迅速であることに加えて、月経液の保持に優れ、濡れの逆流を防ぐ。上面ＴＡＢＣＷ及び裏面空気堆積を組み合わせると、その機能が最も効果的になるので好ましい。
【００１８】
コア材料又はサージ層をカバーシートにラミネートした２重の層を用いる従来の方法と異なり、本発明では、ガーゼ１５に空気堆積不織材料を導入し、左右方向の流出及び漏れを防ぎ、いっそう区分化され、区域集中的であり且つ強力な液体取込みを生じる。また、用いられる低密度不織材料は、その弾性のため、部位的に限定された区域では、物理的に嵩張らないがクッション性のある感触をもたらす。
ラッピング材料２４は、セルロースティシュ、空気堆積又は不織材料を含み、その機能は、コア２５の吸収性ＳＡＰシート材料の起こり得る移動を防ぐことである。吸収性コアは、緻密化又は非緻密化不織超吸収性材料（ＳＡＭ）、不織ティシュ又はパルプ材料、又はその組み合わせで構成されたＳＡＰシート材料である。ラッピング材料２４は、Ｅ折り又はＣ折り構成にできる。
【００１９】
任意的な液体分配層２６は、パルプ繊維の不織材料で構成され、その機能は、月経液の分配と、一体性の保持を助けることである。
バッフル部１２は、フィルム、不織材料、フィルムと不織材料との組み合わせ、他の無機化合物の材料、又はその組み合わせで構成され、それ以上浸透することを防ぐための液体不透過性裏面シートとして機能する。
本発明の種々の成分として好ましい材料を説明したが、当業者には、本発明の範囲内にあり本開示の利点を備え、同じ効果を有する、他の適切な材料と置換できることは明らかである。
また、意外なことに、水圧交絡された水流穿孔したスパンレース材料で構成されたカバーシートと、ＴＡＢＣＷ材料で構成されたガーゼとの組み合わせを相互依存的に用いると、ガーゼ及び吸収性コアに向かう方向に液体の取り込みが増大することが発見された。このように速度が増大すると、濡れの逆流防止機能が向上して目標区域に液体が集中するので、使用者の不快感が減少する。
【００２０】
実施例
本実施例は、ＴＡＢＣＷ材料（Ｔ）、２つの空気堆積材料（Ａ及びＡ’）又はその組み合わせから選択した種々の階級の付加的な吸収性材料を有し、更に、水圧交絡された水流穿孔したスパンレース材料で作られたカバーシート（Ｃ）と様々に組み合わせた本発明によるガーゼの試験を示す。
詳細には、用いたＴＡＢＣＷ材料の平均質量は２５ｇｓｍであり、空気堆積材料１（Ａ）の平均質量は１３０ｇｓｍで、密度は０．０９ｇ／ｃｃであり、空気堆積材料２（Ａ’）の平均質量は１７５ｇｓｍで、密度は０．０８ｇ／ｃｃであった。カバーシートは、平均質量が３０ｇｓｍである７０％レーヨン繊維と３０％ＰＥＴポリエステル繊維との均質な混合物を含み、各々のハイドロアパーチャは、水圧交絡処理によりメッシュパターン化されたダイヤモンド形であった。ハイドロアパーチャの全表面積は、約２５．１％であった。
本発明のガーゼ及び前記と同一の材料を含むカバーシートで構成されたパッドは、できるだけ糸屑を少なくした綿状の外見及び感触を有し、取込み速度に優れ、濡れの逆流が減少した身体側ライナを備える。試験では、次の手順を用いた。
【００２１】
１．厚さ測定のための材料のキャリパ
材料のキャリパは、その厚さの尺度であり、０．０５ｐｓｉでスターレット型嵩試験器を用い、ミリメートル（ｍｍ）単位で測定する。実際には、いずれの測定も１０回繰り返して行う必要がある。
【００２２】
２．レートブロック取込み試験
この試験を用いて、既知の量の液体を材料及び／又は材料システム内に取込む時間を測定する。試験装置は、レートブロック、漏斗及びタイマー又はストップウォッチで構成される。各々の試験のために、４×４インチ（１０２ｍｍ2）片のガーゼ及び／又は比較吸収材料、及びカバーシートを切り取った。試料のカバーシートを、試験されるガーゼ及び／又は比較吸収性材料の上に被せ、２つの材料の上にレートブロックを載せた。
試験には、各々人工月経液２ｍｌを調製して試験装置の漏斗に入れ、タイマーを作動させた。液体は、漏斗から毛管に移動し、そこから材料システムに送られた。試験装置のチャンバから観察して、全ての液体が、材料システム内に吸収されるとタイマーを停止した。任意の材料システムに対して、既知の量の試験液の取込み時間を記録した。この値は、材料システムの吸収性の尺度であり、取込み時間が短ければ、吸収性の高いシステムであることを表す。５〜１０回繰返して行い平均取込み時間を測定した。
【００２３】
３．濡れの逆流に関する再濡れ試験
この試験を用いて、負荷をかけるとカバーの表面に戻る液体の量を測定する。表面に戻る液体の量は、再濡れ値と呼ばれる。表面に戻る液体が多ければ、再濡れ値は大きく、液体が戻る量が少なければ、再濡れ値は小さいことになる。再濡れ値が小さいと乾燥材料であり、従って乾燥パッドである。再濡れを考える際には、３つの特性が重要である。
（ａ）取込み
材料／システムの取込み速度が良好でなければ、液体は極めて再濡れを起こしやすい。
（ｂ）液体保持
吸収体が液体保持に優れれば、再濡れを起こす液体が少なくなる。
（ｃ）逆流
カバーが、液体の逆流の防止に優れれば、再濡れは小さくなる。
【００２４】
試験では、人工月経液２ｍｌをレートブロック装置に入れ、４”×４”のガーゼ及び／又は比較吸収性材料の上に置いた４”×４”の カバー材料の試料に吸収させた。液体は、レートブロックを材料の上に置いたまま、システムと１分間相互作用させた。材料システムは、部分的に生理食塩水を満たした密閉袋の上に置いた。液体の裏面は、実験用ジャッキの上に配置した。数枚の吸取り紙の重さを量り、材料システムの上に置いた。材料システムを有するバッグは、実験用ジャッキを用いて、全体で１ｐｓｉが加わるまで固定アクリル板に対して持ち上げた。
圧力を３分間保持して固定した後、圧力を解放して吸取り紙の重さを量った。吸取り紙は、カバー／吸収性システムから移動した全ての液体を保持している。本来の吸取り紙と吸収後の吸取り紙との重量の差が、再濡れ値である。
【００２５】
４．取込み及び染み試験
取込み／染み試験により、液体流速及び圧力と共に、観察部材の染みの大きさ、強度及び液体保持の観察が可能となる。
中心に直径１／８”（３ｍｍ）の穴を開けたアクリル板の下に、４”×４”の大きさの材料システムを置いた。一本の１／８”の細管を管継手で穴に連結した。人工月経液は、シリンジポンプを用い、特定の速度及び特定の容量で試料に送った。これらの実験では、ポンプは、総量１ｍｌを０．００ｐｓｉから０．０９ｐｓｉの間の圧力をかけた試料に送るようにプログラムした。これらの圧力は、アクリル板の上に均等に分布して配置した重りを用いて加えた。ポンプの流速は、１ｍｌ／秒で送るようにプログラムした。
試験するカバーシートに対する染みの大きさの面積は、手動で測定し、システムの各々の部材内の液体の量は、液体の吸収の前後の重さで測定した。液体保持は、液体を導入する前後のカバーシートの重さを量ることにより測定した。平均の染みの大きさの液体保持は、各々の圧力で少なくとも５回繰返して測定した。
【００２６】
以下に、結果を表にしているが、表の略語は、次のようである。
ＣＡ＝カバー−空気堆積１
ＣＴＡ＝カバー−ＴＡＢＣＷ−空気堆積１
ＣＡＡ’＝カバー−空気堆積１−空気堆積２
ＣＴＡＡ’＝カバー−ＴＡＢＣＷ−空気堆積１−空気堆積２
表１  取込み
0004683729.tif 000002
表２  保持（負荷なし）
0004683729.tif 000003
表３  保持（０．０９ｐｓｉ）
0004683729.tif 000004
上の結果に示されるように、ＴＡＢＣＷガーゼを使用すると、取込み時間が著しく減少し、吸収容量が増加すると、濡れの逆流（再濡れ）が著しく減少する。吸収容量が小さいとき、ＴＡＢＣＷガーゼは、カバーシートの保持負担を軽減し、染みの大きさを減少させる役に立つ。
【００２７】
図３を参照して、本発明の第２の実施形態を説明する。図３は、ウィング３１、バッフル部３２、強化ストリップ３５、カバーシート４１及び吸収性コア４５で構成される生理用ナプキン３０の平面図である。バッフル部３２は、生理用ナプキン３０の全周に沿って延びるように示されている。カバーシート４１は、透明で矢印で示されており、ストリップ３５及び吸収性コア４５に重なっている（仮想線で示す）。第１の実施形態に関して前述したように、第２の実施形態は、強化ストリップの機能に関する限りは同一の有効性をもち、ウィングが無いパッドで実施してもよい。取込み強化ストリップ３５は、生理用ナプキン３０の目標区域を含む正中線部分に配置される。図３は、ストリップ３５を矩形であるように描いているが、砂時計形状の構造等の他の幾何学的形状としてもよい。目標区域を最も適切に覆うために、ストリップ３５の長さは、図３に示すように、図１に示すガーゼ１５に比較して長くされる。
また、図１に示すガーゼ１５又は図３に示すストリップ３５のいずれかは、吸収性コア２５（図１）又は吸収性コア４５（図３）の全表面積に延びるように「拡張」することができる。本発明の他の様態を示すために、吸収性コア２５（図１）及び吸収性コア４５（図３）の輪郭を仮想線で線引きしてその可能性を示している。この様態において、当業者であれば、「ガーゼ」又は「ストリップ」の概念は、それらが吸収性コアの全表面領域の広がるよう拡張されたものも含んでいることを理解できる。
【００２８】
図４は、図３の線４−４に沿って切った断面図である。前述の図２と同様に、図４でも、種々の層を区別するために、真の縮尺から拡大して示されており、これも、実際上、他の薄いパッドの実施形態を示す。図４に示す層は、所望であれば、全幅が１ｃｍ以下まで圧縮して、取込み強化ストリップ３５の周りに溝を形成することができる。
図４は、上から順に、カバーシート４１、ストリップ３５、ラッピング材料４４、吸収性コア４５、任意的な液体分配層４６及びバッフル部３２を備える生理用ナプキン３０を示している。カバーシート４１及びバッフル部３２は、前述の種々の工程を用いて、その縁部が密封されており、種々のパターンの密封縁部を形成している。
ストリップ３５（及び他の部材）に用いた材料は、前述の第１の実施形態で説明したものと同一であり、選択した材料に関して実際には有効性が等しい。
【００２９】
図５は、本発明の第３の厚いパッドの実施形態であり、ウィング５１、バッフル部５２、取込み強化ガーゼ５５、カバーシート６１及び吸収性コア６５を備える生理用ナプキン５０の平面図を示す。バッフル部５２は、生理用ナプキン５０の全周に沿って延びるように示されている。カバーシート５１は、透明で矢印で示されており、強化ガーゼ５５及び吸収性コア６５に重なっている。
取込み強化ガーゼ５５は、生理用ナプキン５０の最適な目標区域を含む中央部分に配置される。図５は、砂時計形ガーゼ５５を示す。目標区域を最も適切に覆うために、図示のように、ガーゼ５５は、膣区域に一致する形状にされる。矩形又はトラックパターン等の種々の他の形状も本開示の範囲に含まれている。
【００３０】
図６は、図５を線６−６に沿って切った断面図である。図６は、厚いパッドの断面を示しているが、当業者であれば、ガーゼ５５（図５）は、薄いパッドの場合のように、空気堆積及び／又はＴＡＢＣＷで作り得ることを理解できる。
図６は、カバーシート６１、ガーゼ５５、ラッピング材料６４、吸収性コア６５及びバッフル部５２を備える生理用ナプキン５０を示している。第２の実施形態のように、ガーゼ及び他の部材用いる材料は、第１の実施形態で説明したものと同一である。吸収性コア６５は、ＳＡＰシートであってもよく、繊維化パルプ（フラフ）とＳＡＭとの混合物で置換してもよい。吸収性コア６５は、２つの層、即ち、ラッピングされていないフラフで作られた上面層と、ラッピングされている又はラッピングされていないフラフとＳＡＭとの混合物で作られた底面層で構成してもよい。もしくは、ＳＡＭ混合物は、２つの層の間に配置されてもよい。また、パッド５０は、任意的に分配又は保持層６６を含んでもよい。
【００３１】
更に、図６は、ガーゼ５５の変形例を示している。当業者であれば、以下の開示内容から、このような変形は、図３に示す取込み強化ガーゼ１５及び図４に示す取込み強化ストリップ３５にも等しく用いることができることを理解できる。ガーゼ５５は、例示的に、第１の層（砂時計構造）及び第２の層５７（長方形構造）を備えるように示されている。第１の層５６は、ＴＡＢＣＷ材料で構成され、第２の層５７は、空気堆積不織材料で構成される。この組み合わせ及び配置は、本発明の目的を達成するのに、特に良好な結果をもたらすが、いずれの相対位置も同様に有効であるため、第１の層が、第２の層の上側にある必要も下側にある必要も無いことは当業者には明らかである。
本発明に対する種々の変形及び変更も、本開示内容を検討することで理解できる。このような変更及び付加は、請求の範囲に定義した本発明の範囲及び精神に含まれている。
【図面の簡単な説明】
【図１】  カバーシートが透明材料で作られ（矢印で示す）、ガーゼに重なり、吸収性コア（これもカバーシートの下にある）が仮想線で示されている本発明によるパッドの１つの実施形態の平面図である。
【図２】  図１に示した実施形態を線２−２に沿って切った拡大断面図である。
【図３】  本発明のパッドの他の実施形態の平面図である。図１と同様に、図３は、透明材料で作られ、矢印で示されたカバーシートを示す。透明カバーシートは、強化ストリップ及び吸収性コア（輪郭を仮想線で示す）に重なっている。
【図４】  図３に示した実施形態を線４−４に沿って切った拡大断面図である。
【図５】  本発明によるパッドの第３の実施形態の平面図である。図１及び図３と同様に、図５のカバーシートも透明材料で作られ、矢印で示される。取込み強化ガーゼ及び吸収性コアは、透明カバーシートの下に示されている。
【図６】  図５に示した実施形態を線６−６に沿って切った拡大断面図である。
【図１】
0004683729.tif 000005
【図２】
0004683729.tif 000006
【図３】
0004683729.tif 000007
【図４】
0004683729.tif 000008
【図５】
0004683729.tif 000009
【図６】
0004683729.tif 000010